(57)【要約】【課題】本発明は、洗浄水の漏洩防止を図ることができる食器洗浄機を提供することを目的とする。【解決手段】  本発明は、洗浄室Ｓを形成する第２のハウジング４と、第２のハウジング４に形成された開口部１８から出し入れ自在に回転するドア５と、を有する食器洗浄機１において、ドア５の上縁部Ａに沿って設けられ、閉鎖状態のドア５の上縁部Ａと第２のハウジング４との隙間を封止するシール部材５０と、開口部１８の側縁Ｗ１に沿って設けられ、ドア５の側方の移動を規制する規制部材５６と、を備え、規制部材５６は、シール部材５０側から流れ込む洗浄水を洗浄室Ｓ内に案内する案内部５８を有する。この食器洗浄機１によれば、洗浄水がシール部材５０を伝って側方に流れ出たとしても、規制部材５６の案内部５８によって洗浄室Ｓ内に案内されるので、ドア５の側面２２を伝った洗浄水の漏洩防止が図られる。【選択図】図９
2010273796.tif 000002
【特許請求の範囲】
【請求項１】
洗浄室を形成するハウジングと、前記ハウジングに形成された開口部から出し入れ自在に回動するドアと、を有する食器洗浄機において、
前記ドアの上縁部に沿って設けられ、閉鎖状態の前記ドアの上縁部と前記ハウジングとの隙間を封止するシール部材と、
前記開口部の側縁に沿って設けられ、前記ドアの側方の移動を規制する規制部材と、を備え、
前記規制部材は、前記シール部材側から流れ込む洗浄水を前記洗浄室内に案内する案内部を有していることを特徴とする食器洗浄機。
【請求項２】
前記規制部材の上端と前記シール部材の端部とが対向するように配置され、
前記案内部は、前記規制部材の前記上端に形成されると共に前記シール部材側から流れ出た洗浄水を受け入れる落し込み凹部と、前記落し込み凹部内の洗浄水を前記洗浄室内に案内する樋面と、を有していることを特徴とする請求項１に記載の食器洗浄機。
【請求項３】
前記ドアの側面に設けられた突起部は、前記ドアの閉鎖時に前記規制部材に沿って延在すると共に、前記規制部材に対して側方で並置されていることを特徴とする請求項１又は請求項２に記載の食器洗浄機。
【請求項４】
前記シール部材は、前記ドアの閉鎖時に前記ハウジングと当接するストッパ部と、前記ストッパ部から突出すると共に、前記ドアの閉鎖時に前記ドアの上縁部と前記ハウジングとの前記隙間を閉塞する舌片と、を有し、
前記舌片は、前記ハウジングに対する当接時において、前記ハウジングに湾曲した状態で押し付けられることを特徴とする請求項１〜請求項３のうちいずれか一項に記載の食器洗浄機。
【発明の詳細な説明】
【技術分野】
【０００１】
本発明は、食器類の洗浄を行う食器洗浄機に関するものである。
【背景技術】
【０００２】
従来、このような分野の技術として、例えば特開平７−１２４０９３号公報に記載された食器洗浄機が知られている。この食器洗浄機は、洗浄室を形成するハウジングと、ハウジングに形成された開口部から出し入れ自在に回転するドアと、開口部の側縁に沿って設けられ、開閉時におけるドアの側方の移動を規制する樹脂製の規制部材と、ドアの側面に設けられ、ドアの開閉時に規制部材と摺動する弧状の突起部と、を備えている。この食器洗浄機では、ドアの開閉時に規制部材と突起部とが点接触の状態で擦れ合うので、規制部材とドアとが直接的に面接触の状態で擦れ合う場合と比べて、擦れ跡を小さくすることができるので、良好な外観を得ることができる。
【先行技術文献】
【特許文献】
【０００３】
【特許文献１】特開平７−１２４０９３号公報
【発明の概要】
【発明が解決しようとする課題】
【０００４】
ところで、前述したような食器洗浄機では、洗浄時にドアとハウジングとの隙間から洗浄水が漏れ出ることを防止する必要がある。しかしながら、漏洩防止のためにドアの上方や側方の隙間をパッキンで封止すると、部品点数が増加して構造が複雑化してしまう。さらには、ドア開閉時の障害となるため、ドアの側方にパッキンを設けることは難しいという問題があった。
【０００５】
本発明は、洗浄水の漏洩防止を図ることができる食器洗浄機を提供することを目的とする。
【課題を解決するための手段】
【０００６】
本発明は、洗浄室を形成するハウジングと、ハウジングに形成された開口部から出し入れ自在に回動するドアと、を有する食器洗浄機において、ドアの上縁部に沿って設けられ、閉鎖状態のドアの上縁部とハウジングとの隙間を封止するシール部材と、開口部の側縁に沿って設けられ、ドアの側方の移動を規制する規制部材と、を備え、規制部材は、シール部材側から流れ込む洗浄水を洗浄室内に案内する案内部を有していることを特徴とする。
【０００７】
本発明の食器洗浄機によれば、シール部材によりドアの上縁部とハウジングとの隙間が封止され、洗浄水の漏洩が防止される。そして、洗浄水がシール部材を伝って側方に流れ出たとしても、規制部材の案内部によって洗浄室内に案内されるので、ドアの側面を伝った洗浄水の漏洩防止が図られる。しかも、規制部材に案内部を形成することで、新たな部材を追加することなく漏洩防止を図ることが可能となり、結果として部品点数の削減及び構造の簡素化を図ることができる。このことは、食器洗浄機の低コスト化に有利である。
【０００８】
また、規制部材の上端とシール部材の端部とが対向するように配置され、案内部は、規制部材の上端に形成されると共にシール部材側から流れ出た洗浄水を受け入れる落し込み凹部と、落し込み凹部内の洗浄水を洗浄室内に案内する樋面と、を有していると好適である。
このような構成を採用すると、案内部を有する規制部材を簡素な形状とすることができ、これによって規制部材の低コスト化すなわち食器洗浄機の低コスト化を図ることができる。
【０００９】
また、ドアの側面に設けられた突起部は、ドアの閉鎖時に規制部材に沿って延在すると共に、規制部材に対して側方で並置されていると好適である。
このような構成によれば、洗浄水がドアの側面やハウジングの内壁に沿って流れ込んできても、突起部と規制部材との協働によって、洗浄水の流れを確実に妨げることができる。
【００１０】
また、シール部材は、ドアの閉鎖時にハウジングと当接するストッパ部と、ストッパ部から突出すると共に、ドアの閉鎖時にドアの上縁部とハウジングとの隙間を閉塞する舌片と、を有し、舌片は、ハウジングに対する当接時において、ハウジングに湾曲した状態で押し付けられると好適である。
【００１１】
このような構成によれば、ストッパ部と舌片とが一つの部材として成形されることで、ストッパ部と隙間を閉塞するパッキン等（舌片）とを別体で組付けた場合と比べて、部材の組み付け誤差が発生し難く、これによってストッパ部がハウジングに当接するタイミングと舌片がハウジングに当接するタイミングとを一定に保つことができる。その結果、舌片の過剰な湾曲やハウジングに対する密着力の低下を避けることができるので、シール部材の長寿命化及び信頼性の向上が図られる。
【発明の効果】
【００１２】
本発明によれば、洗浄水の漏洩防止を図ることができる。
【図面の簡単な説明】
【００１３】
【図１】本発明に係る食器洗浄機の一実施形態を示す部分断面図である。
【図２】図１の食器洗浄機を示す部分断面図である。
【図３】図１の食器洗浄機を示す側面図である。
【図４】図１の食器洗浄機を示す斜視図である。
【図５】図１のドアを示す斜視図である。
【図６】図５のシール部材を示す断面図である。
【図７】シール部材による封止状態を示す拡大断面図である。
【図８】図４の規制部材を示す斜視図である。
【図９】シール部材と規制部材との関係を示す斜視図である。
【図１０】洗浄水が規制部材に流れ込む状態を示す図である。
【図１１】図３のＸＩ−ＸＩ線に沿った断面図である。
【発明を実施するための形態】
【００１４】
以下、図面を参照しつつ本発明に係る食器洗浄機の好適な実施形態について詳細に説明する。
【００１５】
図１〜図４に示すように、食器洗浄機１は、ステンレス製の筐体からなる洗浄機本体２と、この洗浄機本体２内に形成された洗浄室Ｓの開閉を行うステンレス製のドア５，６と、を備えている。この食器洗浄機１は、いわゆる同時ドアオープンタイプと呼ばれるものであり、左右のドア５，６を連動させて同時に開閉させることができる。この食器洗浄機１では、トレイに配列した食器類を、左右のドア５，６が開放された状態で洗浄室Ｓに搬入及び搬出することができる。
【００１６】
洗浄機本体２は、下側に位置して機械室を包囲する第１のハウジング３と、上側に位置して洗浄室Ｓを形成する第２のハウジング４と、から構成されている。この機械室には、洗浄用ポンプ、濯ぎ用ポンプ、濯ぎ用貯湯タンクなど（いずれも図示せず）が収容されている。機械室部３は、４本の脚３ａによって支持されている。第１のハウジング３の上部には、洗浄室Ｓの一部を形成する槽部７が設けられ、槽部７の下部には、洗浄水を貯めるための洗浄タンク８が設けられている。
【００１７】
槽部７の内部には、放射状に延びる３本のアームを有する下側洗浄ノズル９と、一直線状に延びる２本のアームを有する下側濯ぎノズル１０とが同一軸線上において回転自在に配置されている。下側洗浄ノズル９及び下側濯ぎノズル１０は、二重構造の配管１１を介して洗浄タンク８や濯ぎ用貯湯タンク（図示せず）に接続されている。
【００１８】
また、洗浄室Ｓの上部には、放射状に延びる３本のアームを有する上側洗浄ノズル１２と、一直線状に延びる２本のアームを有する上側濯ぎノズル１３とが同一軸線上において回転自在に配置されている。上側洗浄ノズル１２及び上側濯ぎノズル１３は、二重構造の配管１４を介して洗浄タンク８や濯ぎ用貯湯タンクに接続されている。このような上下２段のノズル構成によって、洗浄室Ｓ内の食器類に対する高い洗浄効率及びすすぎ効率が得られる。
【００１９】
略門形状の第２のハウジング４は、一対のサイドパネル１５，１６と、サイドパネル１５，１６の上端を連結する天板１７と、からなる。第２のハウジング４の左右には、矩形状の開口部１８，１９が形成されており、略フード状のドア５，６によって、これらの開口部１８，１９が開閉される。
【００２０】
図１〜図５に示すように、ドア５は、開口部１８から出し入れ自在に回転するいわゆるラウンドドアである。ドア５は、取っ手２０が設けられた主面２１と一対の側面２２，２３とによって略フード状に形成されている。
【００２１】
一方の側面２２の裏側には、主面２１と反対側に突出する板状の第１の連結部２４が固定されている。この第１の連結部２４には、ドア５を回転可能にする第１の回転軸２５の一端がネジを介して固定され、この第１の回転軸２５の他端側は、サイドパネル１５を貫通して歯車４５に固定されている。
【００２２】
また、他方の側面２３の裏側には、主面２１と反対側に突出する板状の第３の連結部２８が固定されている。この第３の連結部２８には、ドア５を回転可能にする第３の回転軸（図示せず）の一端を回転自在に支持するための軸孔が形成されている。第３の回転軸の他端は、サイドパネル１６に固定されている。
【００２３】
また、側面２２には、ドア５とサイドパネル１５との隙間から洗浄水が漏れ出ることを防止するための断面Ｌ字形状の突起部２６が固定されている。この突起部２６は、ステンレス製の部材であり、溶接によってドア５に固定されている。長手方向で略くの字状に形成されている突起部２６は、ドア閉鎖時に上下方向に沿って延在する上側突起部２６ａと、この上側突起部２６ａの下端からドア５の奥側に向かって斜め下方に延在する下側突起部２６ｂと、からなる。この下側突起部２６ｂは、ドア開放時にその下端が第２のハウジング４内に入り込むように配置されている。洗浄時に突起部２６に付着した洗浄水は、下側突起部２６ｂに沿って流下した後、開口１８から離れた位置でその下端から槽部７へと落下する。
【００２４】
また、ドア５の側面２２の略中央には、ドア開放時にドア６の端部と当接することでドアの開き過ぎを防止するための樹脂製のストッパ２７が設けられている。なお、側面２３にも同様の突起部及びストッパ（図示せず）が設けられている。
【００２５】
ドア６は、ドア５と同様の構成を有するラウンドドアである。ドア６は、取っ手３０が設けられた主面３１と一対の側面３２，３３とによって略フード状に形成されている。一方の側面３２の裏側には、主面３１と反対側に突出する板状の第２の連結部３４が固定されている。この第２の連結部３４には、ドア６を回転可能にする第２の回転軸３５の一端がネジを介して固定され、この第２の回転軸３５の他端側は、サイドパネル１５を貫通して歯車４６に固定されている。
【００２６】
また、他方の側面３３の裏側には、主面３１と反対側に突出する板状の第４の連結部３８が設けられている。この第４の連結部３８には、ドア５を回転可能にする第４の回転軸（図示せず）の一端を回転自在に支持するための軸孔が形成されている。第４の回転軸の他端は、サイドパネル１６に固定されている。また、ドア６の側面３２，３３には、突起部２６と同様の構成を有する突起部（図示せず）が設けられている。
【００２７】
サイドパネル１５の表面上には、ドア５，６を連動して同時に開閉するための連動機構４０が配置されている。連動機構４０は、第１の回転軸２５の端部に固定されるＬ字状の第１の回動アーム４１と、第１の回動アーム４１の端部に固定された第１の歯車４５と、第２の回転軸３５の端部に固定されるＬ字状の第２の回動アーム４２と、第２の回動アーム４２の端部に固定されて、第１の歯車４５に噛合する第２の歯車４６と、を備えている。
【００２８】
第１の回動アーム４１とサイドパネル１５の上端とは、ドア５を開放する方向に付勢するための引張りスプリング４３で連結されている。第１の回動アーム４１の端部及びサイドパネル１５の上端には、３個横並びでフック孔４１ａ，１５ａが形成され、引張りスプリング４３の両端のフックを掛け変えることにより、引張りスプリング４３の弾性力を適宜変更することができ、これによってドア５，６の開閉力を適宜変更することができる。
【００２９】
同様に、第２の回動アーム４２とサイドパネル１５の上端とは、ドア６を開放する方向に付勢するための引張りスプリング４４で連結されている。第２の回動アーム４２の端部及びサイドパネル１５の上端には、３個横並びでフック孔４２ａ，１５ｂが形成され、引張りスプリング４４の両端のフックを掛け変えることにより、引張りスプリング４４の弾性力を適宜変更することができ、これによってドア５，６の開閉力を適宜変更することができる。
【００３０】
また、第１の回転軸２５に固定された第１の歯車４５と第２の回転軸３５に固定された第２の歯車４６とが噛み合うことで、ドア５とドア６とが連動して、ドア５，６の同時開閉が行われる。さらに、サイドパネル１５には、ドア５，６の開閉を検出するドア開閉検出部４８が設けられている。ドア開閉検出部４８は、第２の回動アーム４２の下端に取り付けられた可動側のマグネット４８Ａと、サイドパネル１５の表面に取り付けられた固定側の検知器４８Ｂとから構成されている。このドア開閉検出部４８では、マグネット４８Ａが検知器４８Ｂから離れることで、ドア５，６の開放状態が検知される。
【００３１】
なお、第２のハウジング４のサイドパネル１５上には、連動機構４０及びドア開閉検出部４８を覆うようにアウターパネル（図示せず）が取り付けられる。また、第２のハウジング４の内側には、略門形状のインナーパネル４９が第２のハウジング４に沿って設けられ、インナーパネル４９と第２のハウジング４との間にドア５，６が配置されている。
【００３２】
図５〜図７及び図９に示すように、ドア５には、ゴムなどの弾性材料からなるシール部材５０がドア５の上縁部Ａに沿って固定されている。シール部材５０は、ドア閉鎖時にドア５の上縁部Ａと第２のハウジング４との隙間を封止するものである。このシール部材５０は、上縁部Ａより長い全長を有し、その端部Ｂ１，Ｂ２はドア５の上縁部Ａの側方に突出している。
【００３３】
シール部材５０は、断面略Ｌ字状のストッパ部５１と、ストッパ部５１の上端から斜め上方に突出する舌片５２と、からなる。ストッパ部５１は、ドア５の上縁部Ａに沿って延在する板状の固定部５１ａと、ドア閉鎖時に第２のハウジング４に当接される厚肉部５１ｂと、によって断面略Ｌ字状に形成されている。この固定部５１ａ上には、断面Ｌ字状の抑え板５３が配置されている。この抑え板５３とシール部材５０とは、ネジ穴５１ｃに挿入されたネジ５４がドア５に螺合されることで固定されている。固定部５１ａに沿って延在する抑え板５３の両端には、洗浄水がシール部材５０の側方から流れ出ることを防ぐための立て板部５３ｂが形成されている。
【００３４】
第２のハウジング４の天板１７には、ドア閉鎖時にストッパ部５１の厚肉部５１ｂと当接させるために開口部１８の幅方向に延在する当接片１７ａが内側に突出するように形成されている。ストッパ部５１は、ドア閉鎖時に第２のハウジング４の当接片１７ａに当接してドア５の閉鎖方向への回転を止めるストッパとしての機能と、ドア５の回転を止めると同時にドア５の上縁部Ａと第２のハウジング４の当接片１７ａとの隙間Ｈを閉塞する機能とを有する。
【００３５】
さらに、舌片５２が当接片１７ａに当接して、ドア５の上縁部Ａと第２のハウジング４の当接片１７ａとの隙間Ｈを閉塞している。この舌片５２は、ストッパ部５１の上端からドア５の径方向に突出している。
【００３６】
このシール部材５０では、ドア閉鎖時に舌片５２が当接部１７ａに対して上向きに反るように湾曲した状態で押し付けられて、当接面１７ａと密着することで、ドア５の上縁部Ａと第２のハウジング４との隙間Ｈが閉塞される。しかも、ドア５の位置が多少ずれたとしても、斜め上方に突出した舌片５２が追従して変形することで、確実な隙間の閉塞が達成され、これによってシール部材５０の信頼性の向上が図られる。
【００３７】
さらに、ストッパ部５１と舌片５２とが一つの部材として成形されることで、ストッパ部５１と隙間を閉塞するパッキン等とを別体で設けた場合と比べて、部材の組み付け誤差が発生し難く、しかも舌片５２の直近にストッパ部５１が位置するので、ストッパ部５１が第２のハウジング４に当接するタイミングと舌片５２が第２のハウジング４に当接するタイミングとを一定に保つことができる。その結果、舌片５２の過剰な湾曲や第２のハウジング４に対する密着力の低下を避けることができるので、シール部材５０の長寿命化及び信頼性の向上が図られる。なお、ドア６の上縁部にも、シール部材５０と同様の構成を有するシール部材５５が固定されている。
【００３８】
図４及び図８に示すように、上下方向に延在する樹脂製の規制部材５６にはネジ孔５６ａが形成され、規制部材５６は、規制部材５６のネジ穴５６ａに挿入されたネジ（図示せず）がサイドパネル１５の側縁（開口部１８の側縁Ｗ１側）に螺合されることで固定されている。また、サイドパネル１６の側縁（開口部１８の側縁Ｗ２側）には、規制部材５６と同様の構成を有する樹脂製の規制部材５７が固定されている。規制部材５６と規制部材５７とは、ドア５の側方の移動を規制することで、ドア５の横ずれを防止するためのものであり、ドア５とサイドパネル１５，１６との間隔を調整する。以下、説明の簡略化のため、規制部材５６に関してのみ説明を行い、規制部材５７に関する説明を省略する。
【００３９】
図９〜図１１に示すように、規制部材５６は、その上端Ｃがシール部材５０の端部Ｂ１と対向すると共に、ドア閉鎖時に側方で上側突起部２６ａと並列するように開口部１８の側縁Ｗ１に沿って配置されている。規制部材５６は、シール部材５０の端部Ｂ１側から流れ込む洗浄水を洗浄室Ｓに案内する案内部５８を有している。この案内部５８は、シール部材５０の端部Ｂ１から流れ出た洗浄水を受け入れる落し込み凹部５９と、落し込み凹部５９内の洗浄水を洗浄室Ｓ内に案内する樋面６０と、から構成される。
【００４０】
規制部材５６の上端Ｃに形成されている落し込み凹部５９は、シール部材５０側の第１の内壁面５９ａと、第１の内壁面５９ａに直交する第２の内壁面５９ｂと、サイドパネル１５の内面と、によって囲まれ、内側が開放されている。樋面６０は、落し込み凹部５９に連通して上下方向に沿って形成されている。また、樋面６０は、サイドパネル１５の内面に対して垂直に形成されている。この樋面６０の下端は、機械室部３の槽部７近辺に達している。
【００４１】
このように構成された案内部５８では、矢印Ｐに示すように、シール部材５０の端部Ｂ１から流れ出た洗浄水は落し込み凹部５９へと流れ込む。その後、洗浄水は樋面６０を流下してその下端から槽部７へと落ち込み、槽部７の底面を伝って洗浄タンク８に流れ込む。なお、サイドパネル１５，１６のドア６側にも、ドア６の側方の移動を規制するための一対の樹脂製の規制部材（図示せず）及び規制部材６３（図２参照）が設けられている。
【００４２】
この食器洗浄機１によれば、シール部材５０によりドア５の上縁部Ａと第２のハウジング４との隙間が封止され、洗浄水の漏洩が防止される。そして、洗浄水がシール部材５０を伝って側方に流れ出たとしても、案内部５８によって洗浄室Ｓ内に案内されるので、ドア５とハウジング４との隙間からの洗浄水の漏洩防止が図られる。しかも、規制部材５６に案内部５８を形成することで、新たな部材を追加することなく漏洩防止を図ることが可能となり、結果として部品点数の削減及び構造の簡素化を図ることができる。このことは、食器洗浄機１の低コスト化に有利である。
【００４３】
さらに、案内部５８を落し込み凹部５９と樋面６０とから構成することで、規制部材５６の形状の簡素化を図ることができる。このことは、規制部材５６の低コスト化すなわち食器洗浄機１の低コスト化に有利である。
【００４４】
また、図１１に示すように、ドア５に固定された突起部２６とサイドパネル１５に固定された規制部材５６とは、突起部２６の洗浄室Ｓ側の起立面２６ｃと規制部材５６の樋面６０とがドア閉鎖時において側方で一直線状に並列するように配置されている。
【００４５】
このような構成によれば、矢印Ｎに示すように、洗浄水がドア５の側面２２に沿って流れ込んできても、起立面２６ｃに衝突し、流れの向きが側方に変えられて、その勢いで、起立面２６ｃと樋面６０との間にほとんど入り込むことなく、サイドパネル１５に沿って洗浄室Ｓへと戻される。同じく、矢印Ｍに示すように、洗浄水がサイドパネル１５の内面に沿って流れ込んできても、樋面６０に衝突し、流れの向きが側方に変えられて、その勢いで、起立面２６ｃと樋面６０との間にほとんど入り込むことなく、ドア５の側面２２に沿って洗浄室Ｓへと戻される。
【００４６】
さらに、図８及び図１１に示すように、ドア閉鎖時にドア５の側面２２と対向する規制部材５６の第１の側面６１は、樋面６０に対して垂直に形成されている。この第１の側面６１は、ドア開放時に外に露出する。また、第１の側面６１は、開口部１８の一部を形成している。
【００４７】
また、第１の側面６１は、外側に向かうほど段階的にドア５の側面２２に近づくように形成されている。第１の側面６１は、サイドパネル１５の内面に対して垂直な段差面６１ａを有している。この段差面６１ａは、上側突起部２６ａより外側に形成され、樋面６０よりドア５側に形成されている。また、外に露出する規制部材５６の第２の側面６２は、サイドパネル１５の内面に対して垂直に形成されている。
【００４８】
この規制部材５６は、樋面６０から開口部１８側に向かうほど段階的に厚くなるように形成されており、起立面２６ｃと樋面６０との隙間に入り込んだ僅かな洗浄水は規制部材５６の段差面６１ａに衝突して流れが妨げられる。すなわち、規制部材５６をこのような形状にすることで、ドア５の側面２２とサイドパネル１５の内面との間に生じる隙間を段階的に狭めて、隙間をいわゆるラビリンス化することができ、洗浄水の漏洩防止に寄与している。
【００４９】
本発明は、前述した実施形態に限定されないことは言うまでもない。例えば食器洗浄機１は、同時ドアオープンタイプのものに限られず、少なくとも一つのラウンドドアを備えるものであれば本発明を好適に適用できる。
【００５０】
また、規制部材５６に形成される案内部５８は、前述したものに限られない。例えば落し込み凹部がなく樋面のみからなる構成であってもよく、パイプ状の流路部を有する構成であっても良い。
【００５１】
また、突出部２６と規制部材５６との協働による隙間のラビリンス構造は種々のものが採用可能である。
【符号の説明】
【００５２】
１…食器洗浄機、２…洗浄機本体、３…第１のハウジング、４…第２のハウジング、５，６…ドア、１８，１９…開口部、２６…突起部、２６ａ…上部突起部、５０…シール部材、５１…ストッパ部、５２…舌片、５６，５７，６３…規制部材、５８…案内部、５９…落し込み凹部、６０…樋面、Ａ…ドアの上縁部、Ｂ１，Ｂ２…シール部材の端部、Ｓ…洗浄室、Ｗ１，Ｗ２…開口部の側縁。
【図１】
2010273796.tif 000003
【図２】
2010273796.tif 000004
【図３】
2010273796.tif 000005
【図４】
2010273796.tif 000006
【図５】
2010273796.tif 000007
【図６】
2010273796.tif 000008
【図７】
2010273796.tif 000009
【図８】
2010273796.tif 000010
【図９】
2010273796.tif 000011
【図１０】
2010273796.tif 000012
【図１１】
2010273796.tif 000013